(57)【要約】【課題】  本発明は、包装紙をいらなくしてツマリ事故や持ち去りを回避する、衛生的、見栄え的に好ましくする、煩わしさ、不便さを解消する、経済的負担を軽減することを一挙に可能にする新規の予備トイレットペーパー用容器を提供することを目的とする。【解決手段】  容器本体と、その蓋と、蓋に設けた通し孔と、通し孔を介して容器本体内に挿通された操作軸と、操作軸の外端に設けられた取手と、操作軸の内端に設けられたトイレットペーパー支持部を有し、前記トイレットペーパー支持部は、弾性を備えた線状材により構成され、且つトイレットペーパーの軸孔に押入されたときには軸孔の周壁に圧接して予備トイレットペーパーの落下を阻止することにより予備トイレットペーパーを支持し、予備トイレットペーパーに下方への引抜外力が加えられたときには軸孔の周壁に沿って滑動して抜き外しを許容しうる形状に成形されたことを特徴とする。【選択図】  図５
2006181322.tif 000002
【特許請求の範囲】
【請求項１】
予備トイレットペーパーの軸孔に押入されたときには当該軸孔の周壁に圧接して予備トイレットペーパーを支持し、引抜方向の外力を受けたときには軸孔の周壁面を滑動して予備トイレットペーパーの抜き外しを許容しうる形を呈する状態に弾性線状材により構成された支持部を内端に有する操作軸をもち、支持部を予備トイレットペーパーの軸孔に押入した状態で前記操作軸を容器本体内に出し入れしうるようにされたことを特徴とする予備トイレットペーパー用容器。
【請求項２】
容器本体は着脱しうる蓋付きにされ、当該蓋には通し孔を介して前記操作軸が内外方向に移動しうる状態に支承されたことを特徴とする請求項１記載の予備トイレットペーパー用容器。
【請求項３】
操作軸は、外端に取手部を有し且つ蓋から外れない構成にされたことを特徴とする請求項１又は２記載の予備トイレットペーパー用容器。
【請求項４】
容器本体の深さ及び支持部を含む操作軸の長さは、容器本体に重ねて収納されるトイレットペーパーの高さに見合う寸法にされたことを特徴とする請求項１、２又は３記載の予備トイレットペーパー用容器。
【発明の詳細な説明】
【技術分野】
【０００１】  本発明は、ロール状のトイレットペーパーをトイレの中に予備として装備するのに用いる予備トイレットペーパー用容器に関する。具体的には、容器本体内に操作軸を出し入れすることで予備トイレットペーパーを収納したり取り出したりできるようにされた予備トイレットペーパー用容器に関する。
【背景技術】
【０００２】  一般に、ホテル、旅館、病院、公共施設、デパート、事務所、喫茶店等飲食店などのように公衆が使用するトイレ若しくは家庭用トイレでは、残りが少なくなったことを見計らって随時新しいものと交換している。このため、残りの半端分が無駄になっていた。また、時には所謂紙切れ状態になって、後続の使用者に迷惑を掛ける事態になることがあった。このような事態を惹起しないようにとの配慮から、トイレの中に予備としてトイレットペーパーを常に装備しているところが多くある。【０００３】  この装備の仕方は様々で、包装紙で包んだままトイレの中の端の方に置いていたり、包装紙を外して裸の状態で置いていたり、自分で用意した小奇麗な箱やケースの中に置いていたり、市販の予備用トイレットペーパー入れを入手してその中に入れていたりしている。【０００４】  このため、いろいろな問題や不都合が生じていた。具体的には例えば、包装紙で包んだままの場合には包装紙がトイレに流されたことが原因で「ツマリ事故」等を起す、裸の状態で置いた場合には衛生的、見栄え的に好ましくない、小奇麗な箱やケースを用意する場合には、サイズ及び雰囲気に合う満足なものが用意しにくい煩わしさがある、市販の予備用トイレットペーパーホルダーは比較的高価で経済的負担がある等があった。【０００５】  前記市販のものとしては、予備のトイレットペーパーを横に並べて仕込だ状態に支持して置く形式が多用されている。この種の形式は、横幅があって横に広い平面スペースが必要で使いにくい不便さが無い訳ではなかった。また、前記包装したものは心無い人に持ち去られることが多々あった。【０００６】  他方、特許文献１によって、ペーパー受体が下端に設けられているためにトイレットペーパーを抜き外す際には上端の引掛環をその吊り下げ個所から一旦外さなければならない形式のトイレットペーパーのスペアホルダーが開示されている。しかしながら、この種のトイレットペーパーのスペアホルダーには、前記したように、トイレットペーパーを抜き外す際には引掛環をその吊り下げ個所から一旦外さなければならないという使い勝手の悪さがあった。【０００７】  また、特許文献２によって、吊り下げクサリの下端に設けられた止め木の向きを手指操作により変えることでトイレットペーパーを下方へ抜き外す形式のトイレットペーパー容器が開示されている。しかしながら、この種のトイレットペーパー容器には、トイレットペーパーを抜き外す際には、止め木の向きを手指操作でその度に変えなければならないという煩わしさがあった。【０００８】  要するに、前記特許文献１、特許文献２により開示されている形式は、単純にトイレットペーパーを抜き外せばよいというものではなかった。また、同形式は、包装紙をいらなくしてツマリ事故や持ち去りを回避する、衛生的、見栄え的に好ましくする、煩わしさ、不便さを解消する、経済的負担を軽減する、広い平面スペースをいらなくすることのうちのいくつかは達成できていても一挙に達成できているものはなかった。【０００９】
【特許文献１】実開昭５６−１３０４９７号公報
【特許文献２】実開昭５０−１７２５４号公報
【００１０】  なお、本願出願人は、さらに、先行技術を調査したが、包装紙をいらなくしてツマリ事故や持ち去りを回避する、衛生的、見栄え的に好ましくする、煩わしさ、不便さを解消する、経済的負担を軽減する、横に広い平面スペースをいらなくすることを一挙に可能にする予備トイレットペーパー用容器に関連する先行技術文献は見出すことができなかった。
【発明の開示】
【発明が解決しようとする課題】
【００１１】  本発明は、前記したような現状に鑑み、包装紙をいらなくしてツマリ事故や持ち去りを回避する、衛生的、見栄え的に好ましくする、煩わしさ、不便さを解消する、経済的負担を軽減する、横に広い平面スペースをいらなくすることを一挙に達成できるようにされた新規の予備トイレットペーパー用容器を提供することを目的とする。
【課題を解決するための手段】
【００１２】  前記目的を達成するために、請求項１に係る予備トイレットペーパー用容器にあっては、予備トイレットペーパーの軸孔に押入されたときには当該軸孔の周壁に圧接して予備トイレットペーパーを支持し、引抜方向の外力を受けたときには軸孔の周壁面を滑動して予備トイレットペーパーの抜き外しを許容しうる形を呈する状態に弾性線状材により構成された支持部を内端に有する操作軸をもち、支持部を予備トイレットペーパーの軸孔に押入した状態で前記操作軸を容器本体内に出し入れしうるようにされたことを特徴とする。【００１３】  請求項２に係る予備トイレットペーパー用容器にあっては、請求項１記載の予備トイレットペーパー用容器に関し、容器本体は、着脱しうる蓋付きにされ、当該蓋には通し孔を介して前記操作軸が内外方向に移動しうる状態に支承されたことを特徴とする。【００１４】  請求項３に係る予備トイレットペーパー用容器にあっては、請求項１又は２記載の予備トイレットペーパー用容器に関し、操作軸は、外端に取手部を有し且つ蓋から外れない構成にされたことを特徴とする。【００１５】  請求項４に係る予備トイレットペーパー用容器にあっては、請求項１、２又は３記載の予備トイレットペーパー用容器に関し、容器本体の深さ及び支持部を含む操作軸の長さは、容器本体に重ねて収納されるトイレットペーパーの高さに見合う寸法にされたことを特徴とする。
【発明の効果】
【００１６】  本発明に係る予備トイレットペーパー用容器は、上記の通りであるので、トイレの中に予備のトイレットペーパーを常に装備するために、トイレの中の適当な場所に設置し、次のような要領で適宜補充しながら使用できる。【００１７】  すなわち、前記設置の状態において例えば、空になった容器本体に予備トイレットペーパーを入れる場合には、先ず開蓋して容器本体内に予備トイレットペーパー２ａをその芯管軸孔が縦向きになる状態にして投入する。このとき、複数個の予備トイレットペーパーを収納して置く場合には、芯管の軸孔が一本の縦向き線上に存する状態に入れる。しかる後、この投入された予備トイレットペーパーの芯管軸孔にトイレットペーパー支持部を、上段の予備トイレットペーパーの芯管軸孔から押入して最下段の予備トイレットペーパーの芯管軸孔内に位置させると共に容器本体に蓋をすればよい。【００１８】  また、取り出す場合には、先ず蓋を外し状態にしてから操作軸を引き上げることによって全部の予備トイレットペーパーを一緒に容器本体から引き出し、この引き出し状態で最下段の予備トイレットペーパーを下方に引いてこれを支持部から抜き外す。そして、この抜き外した予備トイレットペーパーをトイレ内に設けられているトイレットペーパーホルダー（図示せず）に装填して当該トイレットペーパーホルダーを利用しうるようにする。【００１９】  前記のように利用可能にしてから若しくは利用可能にする前に、操作軸に残っている予備トイレットペーパーがある場合には、容器本体に戻し、閉蓋して次回の取り出しに備える。このとき、残りがない場合若しくは前記取り出した分を補充しておきたい場合（図５参照）には、新しい予備トイレットペーパー２ａを容器本体内に縦向きに投入してから、この新しい予備トイレットペーパー２ａの芯管軸孔に上方から支持部１０を押入して当該新しい予備トイレットペーパー２ａの芯管軸孔１１内に位置させた状態にし、そして閉蓋すればよい。【００２０】  なお、前記補充の場合には、支持部が外に出ている間に、これに新しい予備トイレットペーパーを挿し込んで保持した状態にしてから容器本体内に入れるようにしてもよい。また、適当な時期に調べて、新しい予備トイレットペーパーを補充する必要が生じた場合には、開蓋して操作軸を引き出し、前記補充操作を適宜行えばよい。【００２１】  したがって、前記の要領により操作軸を用いることで予備トイレットペーパーを容器本体に上から簡易に出し入れできる。また予備トイレットペーパーをトイレ内に設けられているトイレットペーパーホルダーに装填するには、操作軸を使って予備トイレットペーパーを容器本体内から引き出した後、この引き出し状態で支持部により支持されている予備トイレットペーパーを引き抜き外して、トイレットペーパーホルダーへの装填を簡単に行うことができる。また、前記特許文献１による開示形式が有していたような、引掛環をその吊り下げ個所から一旦外さなければならないという使い勝手の悪さを解消することができる。さらにまた、前記特許文献２による開示形式が有していたような、止め木の向きを手指操作によりその度に変えなければならないという煩わしさを解消することができる。【００２２】  しかも、前記のような要領により使用されるので、包装紙をいらなくしてツマリ事故や持ち去りを回避できる、また容器本体及び蓋により衛生的、見栄え的に好ましくできる、小奇麗な箱やケースを用意する煩わしさ、不便さを解消することができる、予備のトイレットペーパーを横に並べて仕込だ状態に支持して置く形式の横に長いトイレットペーパーホルダーよりも簡易で比較的廉価なトイレットペーパーホルダーの設置を可能にし経済的負担を軽減することができ、前記一挙に可能にするという所期の目的を完全に達成できる。【００２３】  特に、請求項１に係る予備トイレットペーパー用容器は、予備トイレットペーパーの軸孔に押入されたときには当該軸孔の周壁に圧接して予備トイレットペーパーを支持し、引抜方向の外力を受けたときには軸孔の周壁面を滑動して予備トイレットペーパーの抜き外しを許容しうる形を呈する状態に構成された弾性線状材製の支持部を内端に有する操作軸をもち、支持部を予備トイレットペーパーの軸孔に押入した状態で前記操作軸を容器本体内に出し入れしうるようにされたので、構成が簡略で廉価な製品の提供を可能にのみならず予備トイレットペーパーを所謂縦積みにした狭い平面スペースで使用可能な製品の提供ができる。また、容器本体の中に予備トイレットペーパーを上から入れて上から出せる形式の今までにない新規構造の製品提供ができる。【００２４】  また、請求項２に係る予備トイレットペーパー用容器は、容器本体が着脱しうる蓋付きにされ、当該蓋には通し孔を介して前記操作軸が内外方向に移動しうる状態に支承されたので、前記補充の要領を行う場合には操作軸と蓋を一緒にした状態で使用できる利便さがある。また、操作軸若しくは蓋の一方を紛失したために使用できなくなるような事態を回避できる。【００２５】  また、請求項３に係る予備トイレットペーパーは、操作軸が外端に取手部を有し且つ蓋から外れない構成にされたので、取手部を持つことで操作軸と蓋を一緒にした状態での使用が容易になる。これにより補充操作等が楽に素早くできる。【００２６】  さらにまた、請求項４に係る予備トイレットペーパー用容器は、容器本体の深さ及び支持部を含む操作軸の長さは、容器本体に重ねて収納されるトイレットペーパーの高さに見合う寸法にされたので、容器本体の深さ及び操作軸の長さを任意に決定実施することで、所謂多段式予備トイレットペーパー用容器でも、単段式予備トイレットペーパー用容器でも比較的容易に提供できる利点がある。なお、多段式予備トイレットペーパー用容器も単段式予備トイレットペーパー用容器も上から予備トイレットペーパーを出し入れできるので便利である。
【発明を実施するための最良の形態】
【００２７】  以下、第１の実施の形態に係る予備トイレットペーパー用容器１を図１〜図５に示して説明する。なお、図１は全体を示す一部切截側面図であり、図２は予備トイレットペーパーが２個装填された状態を示す断面図であり、図３は予備トイレットペーパーが１個装填された状態を示す断面図であり、図４はトイレットペーパー支持部を示す拡大斜視図であり、図５は取り出した分を補充しておきたい場合に２個目の予備トイレットペーパーを装填する工程を示す説明断面図である。【００２８】  前記第１の実施の形態に係る予備トイレットペーパー用容器１は、２個の予備トイレットペーパー２、３を収納できるサイズに構成された有底円筒状の容器本体４と、その蓋５と、蓋５に設けた通し孔６と、通し孔５を介して容器本体４内に挿通された操作軸７と、操作軸７の外端に連結環部８を介して設けられたリング形状取手９と、操作軸７の内端に設けられた支持部１０により構成されている。【００２９】  前記容器本体４は、熱可塑性合成樹脂材料によりブロー成型を行うことによって構成されている。なお、この容器本体４は他の合成樹脂成形法、板金成形法、木工加工法、厚紙細工法、陶磁器加工法等で得ることができる。また、中の様子すなわち予備トイレットペーパーの有無を確認できるように透明材料により製造したり、透かし部を設けたり、覗き窓を設けたりして中を確認しうる構造にすることができる。また、容器本体４は、有底円筒状に限定されるものではなく、多角形筒形状や、動物、自然物等を模した形状等にすること、外面に絵や広告、案内等を付すことができる。【００３０】  前記蓋５は、その中心位置に通し６が設けられている。この蓋５は前記容器本体４と同様の製造手段で得ることができる。図に示す蓋５は、単純な嵌め込み形式で閉止状態を確保する構造にしてあるが、ネジ蓋形式、落し蓋形式、バヨネット形式等でもよく、また、安全性を考慮してソフト材料を以て製造してもよい。【００３１】  前記操作軸７及び支持部１０は、弾性を備えた金属線材により連続する一体の構成にされている。なお、金属線材以外の弾性を備えた材料例えば合成樹脂、竹、籐、カーボン繊維等繊維入りロッド材等により製造することが可能である。また、操作軸７の部分は弾性を有しない硬い材料で実施し、トイレットペーパー支持部１０の部分を弾性を有する材料で実施することも可能である。また、操作軸７及び支持部１０は、別個の材料で構成して連結することで完成させてもよい。この場合、支持部１０は弾性線材にする。【００３２】  前記支持部１０は、下段の予備トイレットペーパー３の芯管軸孔１１に押入されたときには、当該芯管軸孔１１の周壁１２に圧接して予備トイレットペーパー２，３の落下を阻止することにより同予備トイレットペーパー２，３を支持し、下段の予備トイレットペーパー３に下方への引抜外力が加えられたときには芯管軸孔１１の周壁に沿って滑動して抜き外しを許容しうる形状に成形されている。【００３３】  前記支持部１０の形状は、具体的には図４に示すように、操作軸７から延長された一方傾斜部分１２と、一方傾斜部分１２の下端から一方くの字状部分１３を経て延長された一方側辺部分１４と、一方側辺部分１４の下端から延長���れた円弧部分１５と、円弧部分１５から延長された他方側辺部分１６と、他方側辺部分１６から他方くの字部分１７を経て延長された他方傾斜部分１８と、他方傾斜部分から延長された長円形状部分１９により構成されている。そして前記長円形状部分１９は、その中に操作軸７の下端部分２０が摺動可能に挿通され、操作軸７から分離しないようにされている。【００３４】  また、図６及び図７は第２実施の形態を示すものである。この第２実施の形態に係る予備トイレットペーパー用容器２１は、所謂３個入れ用にされ、また支持部２２がコイル形状にされたものである。なお、このコイル形状支持部２２は、芯管軸孔１１に押入されたときには、当該芯管軸孔１１の周壁１２に圧接して予備トイレットペーパー２３、２４、２５の落下を阻止することにより同予備トイレットペーパー２３、２４、２５を支持し、下段の予備トイレットペーパー２５に下方への引抜外力が加えられたときには芯管軸孔１１の周壁に沿って滑動して抜き外しを許容しうる形状に成形されている。すなわち、前記コイル形状支持部２２は、芯管軸孔１１の周壁１２への圧接によりその各線輪が楕円形に変形したり線輪間のピッチは狭くなったりして芯管軸孔１１の周壁に圧接し、この圧接により予備トイレットペーパー２３、２４、２５を支持する。【００３５】  なお、支持部は、勿論、図に示す形状に限定されるものではなく、トイレットペーパーの軸孔に押入されたときには軸孔の周壁に圧接して予備トイレットペーパーの落下を阻止することにより予備トイレットペーパーを支持し、予備トイレットペーパーに下方への引抜外力が加えられたときには芯管軸孔の周壁に沿い滑動して抜き外しを許容しうる形に成形されたものであれば充分であるので、他の適宜形にして実施することができることは言うまでもない。【００３６】  以上、図に示す実施の形態について説明したが、本発明は、上記実施の形態に限定されるものでなく、特許請求の範囲に記載された発明の精神を逸脱しない範囲において、種々の態様で実施することが可能であり、そして本発明はこれ等実施されたものにも及ぶものである。
【図面の簡単な説明】
【００３７】
【図１】第１実施の形態の全体を示す一部切截側面図である。
【図２】予備トイレットペーパーが２個装填された状態を示す断面図である。
【図３】予備トイレットペーパーが１個装填された状態を示す断面図である。
【図４】トイレットペーパーの支持部を示す拡大斜視図である。
【図５】取り出した分を補充しておきたい場合に２個目の予備トイレットペーパーを装填する工程を示す説明断面図である。
【図６】第２実施の形態の全体を示す一部切截側面図である。
【図７】同じくコイル形状支持部を示す拡大斜視図である。
【符号の説明】
【００３８】  １  第１実施の形態に係る予備トイレットペーパー用容器
２  予備トイレットペーパー
３  予備トイレットペーパー
４  容器本体
５  蓋
６  通し孔
７  操作軸
８  連結環部
９  取手
１０  支持部
１１  芯管軸孔
１２  一方傾斜部分
１３  一方くの字状部分
１４  一方側辺部分
１５  円弧部分
１６  他方側辺部分
１７  他方くの字部分
１８  他方傾斜部分
１９  長円形状部分
２０  下端部分
２１  第２実施の形態に係る予備トイレットペーパー用容器
２２  コイル形状支持部
【図１】
2006181322.tif 000003
【図２】
2006181322.tif 000004
【図３】
2006181322.tif 000005
【図４】
2006181322.tif 000006
【図５】
2006181322.tif 000007
【図６】
2006181322.tif 000008
【図７】
2006181322.tif 000009